(57)【要約】【課題】車載用機器の車両への脱着作業が容易に行える車載用機器取り付け台を提供する。【解決手段】車載用機器を車両等に搭載する際に使用する車載用機器取り付け台を、車載用機器４を着脱自在に取り付け可能な取り付けベース１と、取り付けベースに蝶番５を介して回動自在に取り付けられ、かつ車体等の磁性体１１に吸着して取り付けベ−スを磁性体に固定する磁石２と、磁性体より離脱させた磁石を跳ね上げ位置に保持する保持手段１０とから構成したもので、車両等への車載用機器の脱着作業が磁石を保持手段により跳ね上げ位置に保持した状態で行えるため、磁石を磁性体より離脱している間に再び磁石が磁性体に吸着されてしまうのを防止することができ、１人の作業員でも容易かつ短時間で車載用機器の脱着作業が行えるようになる。【選択図】図５
2008258295.tif 000002
【特許請求の範囲】
【請求項１】
車載用機器を車両等に搭載する際に使用する車載用機器取り付け台であって、前記車載用機器を着脱自在に取り付け可能な取り付けベースと、前記取り付けベースに蝶番を介して回動自在に取り付けられ、かつ車体等の磁性体に吸着して前記取り付けベ−スを前記磁性体に固定する磁石と、前記磁性体より離脱させた前記磁石を跳ね上げ位置に保持する保持手段とを具備することを特徴とする車載用機器取り付け台。
【請求項２】
前記磁石を前記蝶番に固着する固着具の頭部に設けられた保持用磁石と、前記取り付けベース側に設けられ、かつ前記保持用磁石が吸着自在な吸着板とにより前記保持手段を構成してなる請求項１に記載の車載用機器取り付け台。
【請求項３】
前記磁石を前記蝶番に固着する固着具を磁石により形成し、また前記蝶番の少なくとも前記取り付けベース側取り付け部を磁性体により形成することにより、前記保持手段を構成してなる請求項１に記載の車載用機器取り付け台。
【発明の詳細な説明】
【技術分野】
【０００１】
本発明は、無線機等の車載用機器を車両等に搭載する際に使用する車載用機器取り付け台に関する。
【背景技術】
【０００２】
従来無線機等の車載用機器を安定した状態で車両等に搭載する手段として、例えば特許文献１に記載されたものが公知である。
前記特許文献１に記載の「磁石付き取り付け金具」は、ベースに蝶番を介して蝶着された磁石取り付け板に、取り付けねじにより永久磁石が取り付けられた構造で、ベースに車載用機器を取り付けた状態で、磁石を車体の磁性体部分に吸着させることにより、車体に対し車載用機器が迅速かつ容易に固定、脱着できるように構成されている。
また磁石取り付け板と磁石との間に板ばねが介在されていて、取り付け板に対し磁石が傾動可能となっているため、曲面に対しても垂直に吸着固定することができるようにもなっている。
【０００３】
一方車載用機器取り付け台として、図６ないし図１０に示すものが公知である。
図６ないし図１０に示す従来の車載用機器取り付け台は、取り付けベースａの側面及び端面に蝶番ｂのベース取り付け板ｃが固着されており、蝶番ｂの磁石取り付け板ｄの下面に、吸着面ｅを除くほぼ全周がマグネットキャップｆにより覆われた磁石ｇが固着具ｈにより固着された構成で、蝶番ｂのベース取り付け板ｃ側には、磁性体よりなる吸着板ｉが設けられていて、この吸着板ｉに固着具ｈの頭部ｊを吸着させることにより、磁石ｇを跳ね上げ位置に保持できるようになっている。
【０００４】
そして前記車載用取り付け台を使用して車載用機器ｋを車両等に搭載する場合は、取り付けベースａの上面に車載用機器ｋを取り付けた状態で、車体の磁性体ｍ部分に図９に示すように磁石ｇを吸着させると、磁性体ｍに吸着した複数の磁石ｇの吸着力により取り付けベースａが車体に固定されるため、車載用機器を容易かつ安定させた状態で車両等に搭載することができる。
また車体より車載用機器ｋを取り外す場合は、磁石ｇを磁性体ｍより離脱させたら、磁石ｇを固定している固着具ｈの頭部ｊを吸着板ｉに図１０に示すように吸着させて磁石ｇを跳ね上げ位置に保持し、この操作を全ての磁石ｇに対して行ったら、取り付けベースａの上面に突設された把手ｎを持って車載用機器ｋを持ち上げることにより、車体より車載用機器ｋを容易に取り外すことができる。
【特許文献１】特開平９−２９３６０８号公報
【発明の開示】
【発明が解決しようとする課題】
【０００５】
前記特許文献１に記載の磁石付き取り付け金具では、車載用機器を車体より取り外す際、車体に吸着された磁石を１個ずつ離脱させながら跳ね上げる作業を行うが、離脱した磁石を跳ね上げ位置に保持する機能がないため、次の磁石を離脱する操作を行っている間に、すでに離脱させた磁石が再び車体へ吸着されることがあり、磁石が多数ある場合、１人の作業員では車体より車載用機器を取り外すのが困難である問題がある。
【０００６】
一方図６ないし図１０に示す従来の車載用機器取り付け台では、磁性体ｍより離脱した磁石ｇを固着具ｈの頭部ｊを介して吸着板ｉに吸着させることにより、跳ね上げ位置に保持しておくことができるため、前記特許文献１のような問題は少ないが、磁石ｇとマグネットキャップｆの間で磁気回路が閉路されてしまうため、固着具ｈへ漏洩する漏洩磁力線が極めて弱くなり、その結果固着具ｈの頭部ｊと吸着板ｉとの間の吸着力が弱くなって十分な保持力が得られなくなるため、磁性体ｍより離脱させて跳ね上げ位置に保持させた磁石ｇが、次の磁石ｇを磁性体ｍより離脱している間に再び磁性体ｍに吸着されてしまうことがあり、車載用機器を脱着する際の作業性を著しく低下させてしまう問題がある。
本発明はかかる問題を改善するためになされたもので、車載用機器の車両への脱着作業が容易に行える車載用機器取り付け台を提供することを目的とするものである。
【課題を解決するための手段】
【０００７】
本発明の車載用機器取り付け台は、車載用機器を車両等に搭載する際に使用する車載用機器取り付け台であって、車載用機器を着脱自在に取り付け可能な取り付けベースと、取り付けベースに蝶番を介して回動自在に取り付けられ、かつ車体等の磁性体に吸着して取り付けベ−スを磁性体に固定する磁石と、磁性体より離脱させた磁石を跳ね上げ位置に保持する保持手段とから構成したものである。
【０００８】
前記構成により、保持手段により跳ね上げ位置に磁石を保持させた状態で車載用機器を搭載位置に搬入し、所定の位置で磁石を磁性体に吸着させることができるため、車載用機器の車両等への搭載作業が短時間で容易に行えると共に、車載用機器を車両等から取り外す場合も、磁性体より離脱させて跳ね上げた磁石を、保持手段により跳ね上げ位置に確実に保持することができるため、次の磁石を磁性体より離脱している間に再び磁性体に吸着されてしまう等の問題を未然に防止することができ、これによって１人の作業員でも容易かつ短時間で車載用機器を車両等より取り外すことができるようになる。
【０００９】
本発明の車載用機器取り付け台は、磁石を蝶番に固着する固着具の頭部に設けられた保持用磁石と、取り付けベース側に設けられ、かつ保持用磁石が吸着自在な吸着板とにより保持手段を構成したものである。
【００１０】
前記構成により、磁石の漏洩磁力ではなく、保持手段を構成する保持用磁石の磁力により磁石を跳ね上げ位置に保持することができるため、車載用機器の脱着作業中に不用意に磁石が磁性体に吸着されてしまうことがなく、これによって脱着作業が安全に行える。
また固着具の頭部に保持用磁石を設けたことにより、蝶番に磁石を取り付ける際同時に保持用磁石も取り付けることができるため、組み立て作業が容易な上、保持用磁石を設けるスペースが不要となるため、取り付けベースの周囲にコンパクトに複数の磁石を設置することができる。
【００１１】
本発明の車載用機器取り付け台は、磁石を蝶番に固着する固着具を磁石により形成し、また蝶番の少なくとも取り付けベース側取り付け部を磁性体により形成することにより、保持手段を構成したものである。
【００１２】
前記構成により、保持用磁石や吸着板が不要となるため、保持手段が安価に製作できるようになる。
【発明の効果】
【００１３】
本発明の車載用機器取り付け台によれば、保持手段により跳ね上げ位置に磁石を保持した状態で車載用機器を搭載位置に搬入し、所定の位置で磁石を磁性体に吸着させることができ、また車載用機器を車両等から取り外す場合も、磁性体より離脱させた磁石を保持手段により跳ね上げ位置に保持することができるため、次の磁石を磁性体より離脱している間に再び磁石が磁性体に吸着されてしまうのを防止することができ、これによって１人の作業員でも容易かつ短時間で車載用機器の脱着作業が行えるようになる。
【発明を実施するための最良の形態】
【００１４】
本発明の実施の形態を、図面を参照して詳述する。
図１は車載用機器取り付け台の斜視図、図２は同平面図、図３は同正面図、図４は図３のＡ―Ａ線に沿う断面図、図５は作用説明図である。
図１に示す車載用機器取り付け台は、偏平な箱状の取り付けベース１と、その周囲に設けられた複数の磁石２と、取り付けベース１の上面に突設された例えば一対の把手３とからなり、取り付けベース１の上面中央に、無線機のような車載用機器４が着脱自在に取り付けられている。
取り付けベース１は、金属板を成形することにより形成された例えば中空な箱よりなり、車両等に搭載する車載用機器４の底面積より上面の面積が予め大きく形成されており、両側面１ａの例えば２個所と、両端面１ｂの例えば２個所の計８個所に磁石２が蝶番５を介して取り付けられている。
【００１５】
蝶番５は、取り付けベース１の取り付け側が長方形状のベース取り付け板５ａにより形成され、磁石取り付け側は、磁石２の直径よりやや幅がやや大きい磁石取り付け板５ｂにより形成されていて、磁石取り付け板５ｂの角部はコーナカットされており、ベース取り付け板５ａと磁石取り付け板５ｂの間は、ピン５ｃにより回動自在に枢着されていると共に、ベース取り付け板５ａが磁性体よりなる吸着板１０ａとともに固着具７により取り付けベース１の両側面１ａ及び両端面１ｂに固着されており、磁石取り付け板５ｂの下面に固着具８により磁石２が固着されている。
磁石２は、強力な永久磁石により偏平な環状に形成されていて、吸着面２ａを除く外表面と、内周面が磁性体よりなるマグネットキャップ２ｂで覆われている。
蝶番５の磁石取り付け板５ｂに磁石２を固着する固着具８は、ボルトにより形成されていて、マグネットキャップ２ｂ及び磁石２の中心を貫通する軸部の先端が磁石２の吸着面２ａより外側へ突出しないようになっており、軸部の先端部に螺挿されたナット８ａを締め付けることにより、磁石取り付け板５ｂに対し磁石２とマグネットキャップ２ｂが固着されている。
【００１６】
磁石取り付け板５ｂとマグネットキャップ２ｂの上面との間には、スペーサ９が介在されていると共に、磁石取り付け板５ｂの上面側に突出する固着具８の頭部８ｂ上面には凹部８ｃが形成されていて、この凹部８ｃに前記吸着板１０ａとにより保持手段１０を構成する保持用磁石１０ｂが埋め込まれている。
保持手段１０の保持用磁石１０ｂは、車体等の磁性体１１より離脱させた磁石２が再び磁性体１１に吸着しないように跳ね上げ位置に保持するもので、磁石２より小さい永久磁石により形成されており、蝶番５のピン５ｃを中心に磁石２を跳ね上げた際に、吸着板１０ａに吸着するようになっている。
一方取り付けベース１に取り付けられた車載用機器４を移動したり、上げ下ろしに使用する把手３は、ほぼコ字形に形成されていて、取り付けベース１に取り付けられた車載用機器４の両側に位置するように開放端部が取り付けベース１の上面に固着されている。
【００１７】
次に前記構成された車載用機器取り付け台の作用を説明する。
無線機のような車載用機器４を車両等に搭載するに当たって、まず取り付けベース１の上面に固着具１２により車載用機器４を図１に示すように取り付ける。
次に把手３により取り付けベース１とともに車載用機器４を車両等の搭載位置まで運搬するが、このとき蝶番５を閉合して、保持手段１０の保持用磁石１０ｂを図５に示すように吸着板１０ａに吸着させて、全ての磁石２を跳ね上げ位置に保持しておく。
車載用機器４を車両等の搭載位置へ搬入したら、取り付けベース１を車体の磁性体１１上に載置して、車載用機器４を取り付け位置に位置決めする。
車載用機器４の位置決めが完了したら、吸着板１０ａより保持用磁石１０ｂを離脱させて、跳ね上げ位置にある磁石２を蝶番５のピン５ｃを中心に回動し、磁石２を磁性体１１へ図４に示すように吸着させる。
以下前記操作を全ての磁石２に対して繰り返して、全ての磁石２を磁性体１１へ吸着させることにより、車両等の所定位置に車載用機器４を容易かつ安定した状態で取り付けることができる。
【００１８】
一方車体より車載用機器４を取り外す場合は、前記と逆の操作となる。
すなわち磁性体１１に吸着された磁石２を磁性体１１より離脱させて跳ね上げ位置まで跳ね上げ、保持手段１０の保持用磁石１０ｂを吸着板１０ａへ図４に示すように吸着させる。
このとき磁石２の漏洩磁力ではなく、保持用磁石１０ｂの磁力により磁石２が跳ね上げ位置に保持されるため、他の磁石２を磁性体１１より離脱させている間に、すでに離脱した磁石２が再び磁性体１１に吸着することがないので、１人の作業員でも容易かつ短時間で車載用機器４を車体より取り外すことができるようになる。
【００１９】
なお前記実施の形態では、磁石２を蝶番５に固着する固着具８の頭部８ｂに保持用磁石１０ｂを設けたが、固着具８自体を永久磁石により形成して保持用磁石１０ｂを省略してもよく、また蝶番５全体、若しくは少なくともベース取り付け板５ｂ側を磁性体により形成して、蝶番５を吸着板１０ａと兼用させることにより、吸着板１０ａを省略してもよい。
【図面の簡単な説明】
【００２０】
【図１】本発明の実施の形態になる車載用機器取り付け台の斜視図である。
【図２】本発明の実施の形態になる車載用機器取り付け台の平面図である。
【図３】本発明の実施の形態になる車載用機器取り付け台の正面図である。
【図４】図２のＡ−Ａ線に沿う断面図である。
【図５】本発明の実施の形態になる車載用機器取り付け台の作用説明図である。
【図６】従来の車載用機器取り付け台の斜視図である。
【図７】従来の車載用機器取り付け台の平面図である。
【図８】従来の車載用機器取り付け台の正面図である。
【図９】図２のＢ−Ｂ線に沿う断面図である。
【図１０】従来の車載用機器取り付け台の作用説明図である。
【符号の説明】
【００２１】
１      取り付けベース
２      磁石
４      車載用機器
５      蝶番
５ａ    ベース取り付け板
５ｂ    磁石取り付け板
５ｃ    ピン
８      固着具
８ｂ    頭部
１１      保持手段
１１ａ    吸着板
１１ｂ    保持用磁石
【図１】
2008258295.tif 000003
【図２】
2008258295.tif 000004
【図３】
2008258295.tif 000005
【図４】
2008258295.tif 000006
【図５】
2008258295.tif 000007
【図６】
2008258295.tif 000008
【図７】
2008258295.tif 000009
【図８】
2008258295.tif 000010
【図９】
2008258295.tif 000011
【図１０】
2008258295.tif 000012